(57)【要約】【課題】端子着脱装置の操作性を向上させることを目的とする。【解決手段】ハウジングと、ハウジングの所定位置に配置された端子に向かって第一の方向に移動して端子と係合し、且つ、所定位置に配置された端子から第二の方向に移動して端子との係合が解除される、係合部材と、ハウジングに対して回動可能に設けられた操作部材と、を備える。係合部材は、操作部材の回動に応じてハウジングに対して回動し、更に、ハウジングに対する回動に応じてハウジングに対して第一の方向又は第二の方向に移動し得る。【選択図】図１
2018195532.tif 000002
【特許請求の範囲】
【請求項１】
ハウジングと、
前記ハウジングの所定位置に配置された端子に向かって第一の方向に移動して前記端子と係合し、且つ、前記所定位置に配置された端子から第二の方向に移動して前記端子との係合が解除される、係合部材と、
前記ハウジングに対して回動可能に設けられた回動部材と、
を備え、
前記係合部材は、前記回動部材の回動に応じて前記ハウジングに対して回動し、更に、前記ハウジングに対する回動に応じて前記ハウジングに対して前記第一の方向又は前記第二の方向に移動し得る、ことを特徴とする端子着脱装置。
【請求項２】
前記端子が配置される被係合端子を更に備え、
前記被係合端子は、前記係合部材の一部を前記第一の方向及び前記第二の方向に貫通させる貫通穴を有する、請求項１に記載の端子着脱装置。
【請求項３】
前記係合部材の一部は、前記回動部材の収容空間に収容され、前記係合部材は、前記収容空間において、前記回動部材に対して回動することなく、前記第一の方向又は前記第二の方向に移動可能である、請求項１又は２に記載の端子着脱装置。
【請求項４】
前記係合部材は、弾性手段によって前記回動部材に対して前記第一の方向に常時付勢されている、請求項１又は２に記載の端子着脱装置。
【請求項５】
前記係合部材は、前記回動部材によって軸支され、
前記弾性手段は、前記係合部材を軸支する軸の周囲に前記第一の方向及び前記第二の方向に沿って設けられている、請求項４に記載の端子着脱装置。
【請求項６】
前記回動部材及び前記係合部材のいずれか一方に、いずれか他方に向かって延びる軸が設けられ、前記回動部材及び前記係合部材のいずれか他方に、前記軸と前記弾性手段が収容される穴が設けられている、請求項５に記載の端子着脱装置。
【請求項７】
前記第一の方向と前記第二の方向は前記軸に沿っている、請求項６に記載の端子着脱装置。
【請求項８】
前記係合部材は、前記ハウジングの一部との当接を通じて、前記ハウジングに対して前記第一の方向又は前記第二の方向に移動し得る、請求項１乃至７のいずれかに記載の端子着脱装置。
【請求項９】
前記ハウジング又は前記係合部材のいずれか一方に、前記第一の方向及び前記第二の方向に対して鋭角方向に前記ハウジング又は前記係合部材の周面に沿って傾斜した傾斜手段が、これに対応して、前記いずれか他方に、前記傾斜手段と当接し得る当接手段が、それぞれ設けられている、請求項８に記載の端子着脱装置。
【請求項１０】
前記回動部材の少なくとも一部は、前記ハウジングに収容されており、前記ハウジングに、該ハウジングに収容された前記回動部材の少なくとも一部を露出させる窓が設けられている、請求項９に記載の端子着脱装置。
【請求項１１】
前記端子は、前記第一の方向及び前記第二の方向に対して直交する方向に沿って前記ハウジングに挿入されることにより前記ハウジングの所定位置に配置される、請求項１乃至１０のいずれかに記載の端子着脱装置。
【請求項１２】
前記回動部材は、操作部材である、請求項１乃至１１のいずれかに記載の端子着脱装置。
【発明の詳細な説明】
【技術分野】
【０００１】
本発明は、端子着脱装置に関する。
【背景技術】
【０００２】
例えば、配電板、工作機械、コンピュータ製品において端子を着脱するために端子着脱装置が利用されている。特許文献１には、特に、端子中継機能を備えた端子着脱装置の一例が示されている。この端子着脱装置によれば、ねじを使用せずにワンタッチで端子を取り付け取り外すことができる。
【０００３】
特許文献１に開示された端子着脱装置の構成例を図１９に示す。端子１１７同士を接続するには、コイルバネ１１５の付勢力に抗してつまみ部１１１を引き上げ、この状態で、ベース１０７の押え板１１４と接続金具１０８の間へ端子１１７を挿入し、つまみ部１１１を放す。するとコイルバネ１１５の放勢によってロッド１１２が降下し、凸部１２２が孔１１８へ挿入された状態で端子１１７が押え板１１４と接続金具１０８の間に挟まれる。この場合、孔１１８内へロッド１１２が挿入されているので、端子１１７を抜き取ることはできない。端子１１７を抜き取るには、コイルバネ１１５の付勢力に抗してつまみ部１１１を持ち上げた状態として、孔１１８内へ挿入されたロッド１１２を取り除く必要がある。
【０００４】
従来の端子着脱装置ではこのように、端子１１７を接続するために、また、端子１１７を抜き取るために、つまみ部１１１を持ち上げる作業が必要とされ、操作が煩雑なものとなっていた。
【先行技術文献】
【特許文献】
【０００５】
【特許文献１】特開平９−１６１８６８号公報
【発明の概要】
【発明が解決しようとする課題】
【０００６】
本願発明はこのような従来技術における問題点を解決するためになされたものであり、端子着脱装置の操作性を向上させることを目的とする。
【課題を解決するための手段】
【０００７】
上記の課題を解決するため、本発明の一態様による本発明の端子着脱装置は、ハウジングと、前記ハウジングの所定位置に配置された端子に向かって第一の方向に移動して前記端子と係合し、且つ、前記所定位置に配置された端子から第二の方向に移動して前記端子との係合が解除される、係合部材と、前記ハウジングに対して回動可能に設けられた回動部材と、を備え、前記係合部材は、前記回動部材の回動に応じて前記ハウジングに対して回動し、更に、前記ハウジングに対する回動に応じて前記ハウジングに対して前記第一の方向又は前記第二の方向に移動し得る。
本構成によれば、係合部材を端子と係合させるため又は係合を解除させるために回動部材を操作する方向と係合部材が端子から移動する方向とを異ならしめることができ、係合部材それ自体を端子に対して移動させるのではなく、回動部材の回動操作等を通じて係合部材と端子の係合を制御することができるため、端子着脱装置の操作性を向上させることができる。
【０００８】
上記態様の端子着脱装置において、前記端子が配置される被係合端子を更に備え、前記被係合端子は、前記係合部材の一部を前記第一の方向及び前記第二の方向に貫通させる貫通穴を有してもよい。
貫通穴を有した被係合端子を設けることにより、端子をより安定した状態で、ハウジングの所定位置に配置し、また、係合部材と係合させることができる。
【０００９】
また、上記態様の端子着脱装置において、前記係合部材の一部は、前記回動部材の収容空間に収容され、前記係合部材は、前記収容空間において、前記回動部材に対して回動することなく、前記第一の方向又は前記第二の方向に移動可能としてもよい。
【００１０】
更に、上記態様の端子着脱装置において、本発明の端子着脱装置において、前記係合部材は、弾性手段によって前記回動部材に対して前記第一の方向に常時付勢されていてもよい。
この構成によれば、回動部材を操作することなく、弾性手段による付勢力を利用して係合部材と端子を自動的に係合させることができる。
【００１１】
また、上記態様の端子着脱装置において、前記係合部材は、前記回動部材によって軸支され、前記弾性手段は、前記係合部材を軸支する前記回動部材の軸の周囲に前記第一の方向及び前記第二の方向に沿って設けられていてもよい。
この構成によれば、回動部材に対する係合部材の動作を安定させることができる。また、本発明の端子着脱装置において、弾性手段を安定して配置することができる。
【００１２】
上記態様の端子着脱装置において、前記回動部材及び前記係合部材のいずれか一方に、いずれか他方に向かって延びる軸が設けられ、前記回動部材及び前記係合部材のいずれか他方に、前記軸と前記弾性手段が収容される穴が設けられていてもよい。
【００１３】
また、上記態様の端子着脱装置において、前記第一の方向と前記第二の方向は前記軸に沿っていてもよい。
更に、上記態様の端子着脱装置において、前記係合部材は、前記ハウジングの一部との当接を通じて、前記ハウジングに対して前記第一の方向又は前記第二の方向に移動し得るものであってもよい。
【００１４】
また、上記態様の端子着脱装置において、前記ハウジング又は前記係合部材のいずれか一方に、前記第一の方向及び前記第二の方向に対して鋭角方向に前記ハウジング又は前記係合部材の周面に沿って傾斜した傾斜手段が、これに対応して、前記いずれか他方に、前記傾斜手段と当接し得る当接手段が、それぞれ設けられていてもよい。
この構成によれば、これら傾斜手段と当接手段を通じて、係合部材をハウジングに対して回動させることができる。
【００１５】
また、上記態様の端子着脱装置において、前記回動部材の少なくとも一部は、前記ハウジングに収容されており、前記ハウジングに、該ハウジングに収容された前記回動部材の少なくとも一部を露出させる窓が設けられていてもよい。
更に、上記態様の端子着脱装置において、前記端子は、前記第一の方向及び前記第二の方向に対して直交する方向に沿って前記ハウジングに挿入されることにより前記ハウジングの所定位置に配置されてもよい。
【００１６】
上記態様の端子着脱装置において、前記回動部材は操作部材であってもよい。
【発明の効果】
【００１７】
本願発明によれば、操作性を向上させた端子着脱装置が提供される。
【図面の簡単な説明】
【００１８】
【図１】本発明を適用することができる端子着脱装置の使用態様の一例を示す斜視図である。
【図２】端子着脱装置の一使用態様を示す平面図である。
【図３】端子着脱装置の一部分解斜視図である。
【図４】操作ユニットの分解斜視図である。
【図５】操作ユニットの横面図である。
【図６】図５のＡ−Ａ線横断面図である。
【図７】図５のＢ−Ｂ線縦断面図である。
【図８】操作部材の斜視図である。
【図９】操作部材の斜視図である。
【図１０】操作部材の斜視図である。
【図１１】係合部材の斜視図である。
【図１２】係合部材の斜視図である。
【図１３】係合部材の斜視図である。
【図１４】係合部材の斜視図である。
【図１５】ロック状態を示す横面図である。
【図１６】ロック状態を示す断面図である。
【図１７】アンロック状態を示す横面図である。
【図１８】アンロック状態を示す断面図である。
【図１９】従来の端子着脱装置の構成例を示す図である。
【発明を実施するための形態】
【００１９】
以下、添付図面を参照しつつ、本発明の好適な一実施形態としての端子着脱装置を説明する。一例として、端子中継機能、即ち、少なくとも２つの端子を電気的に中継することができる機能を備えた装置への本発明の適用例を説明するが、あくまで一つの適用例であって、端子中継機能を備えた装置に本発明を限定することを意図したものではない。本発明は、そのような端子中継機能を備えていない端子着脱装置に広く適用することができる。
【００２０】
図１は、本発明を適用することができる端子着脱装置１の使用態様の一例を示す斜視図、図２は、この装置１の使用態様を示す平面図である。端子着脱装置１は、完全に左右対称というわけではないが、本発明の適用に関しては実質的に左右対称であると考えてよい。
【００２１】
端子着脱装置１に対しては、例えば、それぞれがケーブル３の一端に取り付けられた一対の端子５Ａ、５Ｂを着脱することができる。図１の例では、一方の側では、端子５Ａが未だ挿着されていない状態を、他方の側では、端子５Ｂが既に挿着されて、ロックされた状態を、それぞれ示している。
【００２２】
挿着された端子５は、外部に露出したツマミ４２を利用して、端子着脱装置１から簡単な操作で取り外すことができる、換言すれば、ロックを解除することができる。ロック状態は、操作部材（回動部材）４０をハウジング１０に対して図示矢印「γ」方向に回動させることにより解除することができ、また、ロック状態やアンロック状態は、装置１のハウジング１０に設けた窓２３を通じて目視によって確実に確認することができる。図２の平面図に示すように、操作部材４０の一部である指示部４１は、窓２３を通じて外部に露出しており、指示部４１が、図２の（ａ）に示す位置にあるときは、ロック状態を、（ｂ）に示す位置にあるときは、アンロック状態を、（ｃ）に示す位置にあるときは、それらの中間の状態を、それぞれ示すものとなっている。窓２３を通じてロック状態やアンロック状態を確認することができるため、ユーザは、例えば、半嵌合を効果的に防止することができる。尚、指示部４１については、周囲と異なる色とすることにより、視認性を向上させておくのが好ましい。
【００２３】
図３に、端子着脱装置１の一部分解斜視図を示し、更に、図４乃至図７に、装置１に含まれる操作ユニット５０の詳細を示す。図４は、操作ユニット５０の分解斜視図、図５は、その横面図、図６は、図５のＡ−Ａ線横断面図、図７は、図５のＢ−Ｂ線縦断面図である。
【００２４】
図３から明らかなように、端子着脱装置１は、ハウジング１０と、ハウジング１０の内部に設置されたクランプ装置３０と、ハウジング１０の外部に一部を露出させ且つハウジング１０の内部に一部が収容された操作ユニット５０を含み、また、図４乃至図７から明らかなように、操作ユニット５０は、ハウジング１０の外部に一部を露出させ且つハウジング１０の内部に残りの部分が収容された操作部材４０と、ハウジング１０の内部に全体が収容された係合部材７０と、操作部材４０と係合部材７０の内部に全体が収容された弾性手段、例えば、巻バネ７を含む。
【００２５】
ハウジング１０の内部に設置されたクランプ装置３０は、例えば、鉄や黄銅等の導電部材から成るバスバー３５と、一対のスプリング端子（被係合端子）３３から成る。バスバー３５には、例えば、所定の厚みを有する上面視矩形の板状の金属板を使用することができる。スプリング端子３３には、側面視略Ｃ字状の板状端子、例えば、中央部分３３ｃで連結された上側部分３３ａと下側部分３３ｂを含む端子を使用することができる。スプリング端子３３は、上側部分３３ａと下側部分３３ｂの間にバスバー３５を挟み込みようにしてバスバー３５の左右各側に１つずつ設置され、この状態でハウジング１０の内部に固定される。
【００２６】
ハウジング１０の前後各側に、端子５が挿入される開口１２が対向配置されている。各端子５Ａ、５Ｂは、これらの開口１２を通じて、ハウジング１０の内部、更に言えば、スプリング端子３３とバスバー３５の間に形成された隙間３４に互いに接近する方向に挿入され、或いは、そこから互いに引き離される方向に引き抜かれる。各端子５Ａ、５Ｂは、例えば、係止部材７０の移動方向「β１」、「β２」に対して直交する方向「α１」、「α２」方向に沿って挿抜されてもよい。端子５の挿入方向「α」と係止部材７０の移動方向「β」とを直交させることにより、装置１の構成を簡易化することができる。端子５を隙間３４にスムースに案内するため、図示のように、ハウジング１０の基体１１の底部１７に案内用のテーパー１３を、また、スプリング端子３３の上側部分３３ａの先端に誘い込み部３６を設けてもよい。
【００２７】
各スプリング端子３３の上側部分３３ａの中心付近に、係合部材７０の一部、即ち、係止部８２を貫通させることができる貫通穴３７が設けられている。係合部材７０は、この貫通穴３７を通じて端子５と係合し得る。装置１に装着された際、端子５の貫通孔５ａは、スプリング端子３３の貫通穴３７と整列された状態で、スプリング端子３３の上側部分３３ａの下方に位置付けられる。結果、係合部材７０の係止部８２は、スプリング端子３３の貫通穴３７とともに端子５の貫通孔５ａに挿入され得る。係止部８２が、スプリング端子３３の貫通穴３７を通じて端子５の貫通穴５ａに挿入されたとき、係止部８２の先端に設けた平らな当接部８３が、端子５の下側に配置されたバスバー３５の表面と接触し、係止部材７０と端子５は係合する、即ち、端子５は係合部材７０によってロックされる。この場合、ハウジング１０から端子５を引き抜こうとしても、端子５の穴５ａと係止部８２が引っ掛かるため、端子５を引き抜くことはできない。尚、当接部８３は、平らな面として、バスバー３５との接触面積を増やすのが好ましい。平面形状とすることによって、より安定して係合状態を維持することができる。また、下で述べるように、端子５には、貫通孔５ａに代えて凹部を設けることもできるが、貫通孔５ａを形成した場合には、端子５に単なる凹部が設けられている場合に比べて、端子５は係止部材７０によってより強固に保持されることになる。
【００２８】
スプリング端子３３の貫通穴３７は、スプリング端子３３の一方の面から他方の面に向かって打ち抜くことによって形成される。上側部分３３ａには、この打ち抜きを利用して形成された立ち上がり部３７ａが設けられている。係合部材７０の端部付近は、この立ち上がり部３７ａを利用してスプリング端子３３に厚み方向に沿って常時安定して保持され、これにより、係合部材７０をハウジング１０の所定位置に安定して位置決めすることができる。
【００２９】
尚、端子５として、ここでは丸端子、即ち、平面視略中央に貫通孔５ａを有した端子を使用することとしたが、勿論、端子５を丸端子に限定する意図ではない。以下の説明からも明らかなように、端子５は、係合部材７０と係合させることができるものであれば足り、例えば、貫通孔５ａに代えて貫通孔位置に凹部を設けたものであってもよいし、平面視矩形を有するものであってもよい。
【００３０】
ハウジング１０は、基体１１と、該基体１１の一方の側部を覆う側壁２８と、ハウジング１０の上部を構成する上部カバー２５を含む。
【００３１】
基体１１は、底部１７と、底部１７に対して垂設された側部１４と、側部１４を介して底部１７と連結された本体部２１を含む。
【００３２】
基体１１の底部１７の上面には窪み部１９が設けられている。窪み部１９には、クランプ装置３０のバスバー３５に取り付けたスプリング端子３３の下側部分３３ｂが設置される。底部１７と本体部２１との間には、バスバー３５が挿入される隙間１８が設けられている。左右各側のそれぞれにスプリング端子３３Ａ、３３Ｂを取り付けたバスバー３５を、これらのスプリング端子３３Ａ、３３Ｂの間に位置する中央付近の露出部にて隙間１８に挿入するようにして、クランプ装置３０を基体１１に取り付けることができる。
【００３３】
基体１１の本体部２１には、係合部材７０の一部（図４等に示す案内溝８４）と係合し得る突起１５が設けられている。尚、案内溝８４との衝突を滑らかにするため、案内溝８４との係合面１５ａにはテーパーが形成されている。
【００３４】
上部カバー２５は、該上部カバー２５の本体部２５ａの一部２５ｂを本体部２１の頂部２２に設置し、更に、該上部カバー２５の本体部２５ａの一方の側面に設けた側板部２４の取付片２９を側部１４に設けた固定穴１４ａに挿入することにより、基体１１に固定され得る。
【００３５】
上部カバー２５の本体部２５ａには、操作部材４０の一部を外部に取り出すことができる貫通穴２５ｄが設けられている。操作部材４０は、ハウジング１０の所定位置で支持されるように、貫通穴２５ｄに常時部分的に保持される。上部カバー２５の本体部２５ａの一方の側面には、本体部２５ａに対して垂直方向に延びた側板部２４が設けられている。更に、側板部２４の端縁には、側方に突出した取付片２９が設けられている。上部カバー２５を基体１１に取り付けた後に、側板部２４に設けた取付片２９を、側部１４に設けた固定穴１４ａや側壁２８に設けた同様の固定穴（図示されていない）に適合させることによって、上部カバー２５に側部１４及び側壁２８を固定することができる。
【００３６】
図８乃至図１０に、それぞれ、操作部材４０の斜視図を示す。これらの図及び図３乃至図７に示すように、操作部材４０は、上部に位置するツマミ４２を除き、有底の略円筒形状を有する。操作部材４０の外周面には、カバー２５の内壁に突き当てられて操作部材４０をハウジング１０に対して位置決めする突部５１が設けられており、更に、この突部５１から延出させることにより指示部４１が設けられている。操作部材４０の内部には、係合部材７０を収容するための収容空間４３が設けられており、係合部材７０の一部は、この収容空間４３に、「β」方向に沿って上下動及び回動可能な状態で収容される。係合部材７０の運動を規制するため、収容空間４３には、操作部材４０の天井部から下方に向かって軸６０が設けられている。また、収容空間４３を形成する操作部材４０の内壁６１には、長さ方向「β」に沿って上下に延びる、複数の、ここでは４本の、位置決め突起６２が設けられている。
【００３７】
図１１乃至図１４に、それぞれ、係合部材７０の斜視図を示す。係合部材７０は、全体として略円柱形状を有し、上部に比較的大きな径を有した拡径部７２を、下部に比較的小さな径を有した係止部８２を有する。拡径部７２の上部には、操作部材４０の軸６０に対応して縦穴８０が設けてある。縦穴８０には、軸６０が、更に、「β」方向に沿って軸６０の周囲を取り巻く巻バネ７が、軸方向「β」に沿って挿入される。係合部材７０は、縦穴８０に挿入された軸６０によって操作部材４０に対して軸支され、また、軸６０の周囲に設けた巻バネ７によって、操作部材４０に対して下方「β１」に常時付勢されている。軸６０や巻バネ７の挿入を容易にするため、縦穴８０の挿入口８０ａにテーパー８０ａを設けてもよい。
【００３８】
操作部材４０の内壁６１に設けた位置決め突起６２に対応して、拡径部７２の上側外周面に、長さ方向「β」に沿って上下に延びる窪み７４が設けられている。係合部材７０は、操作部材４０の収容空間４３に、係合部材７０の窪み７４と操作部材４０の位置決め突起６２とを対応させた状態で設置され、この結果、係合部材７０は、操作部材４０の収容空間４３において、軸６０に沿って「β」方向に上下動し得る。すなわち、係合部材７０は、「β」方向に沿って、ロック位置とアンロック位置との間で移動可能となっている。拡径部７２の下側外周面には、係止部８２の周面８２ａと連続的に面を形成する傾斜手段、例えば、拡径部７２と係止部８２の径方向における厚みの差を利用して形成された案内溝８４が設けられている。案内溝８４には、ハウジング１０の一部に設けた突起１５（図３参照）が配置される。係合部材７０がハウジング１０に対して回動したとき、係合部材７０は、案内溝８４と突起１５との当接を通じて、操作部材４０及びハウジング１０に対して、クランプ装置３０に接近する方向（第一の方向）、ここでは下方「β１」に、又は、クランプ装置３０から遠ざかる方向（第二の方向）、ここでは上方「β２」に、移動し得る。
【００３９】
案内溝８４は、係合部材７０の移動方向「β」に対して鋭角方向「β３」（図４、図５参照）に係合部材７０の周面８２ａに沿って傾斜した状態で設けられている。尚、「β１」方向と「β２」方向は、構造を簡易化するため、本実施形態では正反対の方向とされているが、必ずしも正反対とする必要はなく、これらの方向が異なる方向を向いていてもよい。
【００４０】
図１５乃至図１８を参照して、係合部材７０の挙動を説明する。図１５及び図１７は、図５に示した横面図、一方、図１６及び図１８は、図７に示した断面図に、それぞれ相当する図であって、操作ユニット５０とクランプ装置３０を中心に、それらの周辺部材、例えば、ハウジング１０に設けた突起１５、端子５、上部カバー２５等を、それらの位置関係を維持したまま抜き出して示したものである。また、図１５、図１６は、係合部材７０が下方に押し下げられた状態、換言すれば、ロック状態（図２の（ａ）に示す状態）を、一方、図１７、図１８は、係合部材７０が上方に持ち上げられた状態、換言すれば、アンロック状態（図２の（ｂ）に示す状態）を、それぞれ示している。
【００４１】
操作部材４０に何らの操作も行っていない場合、係合部材７０は、操作部材４０と係合部材７０の間に設けた巻バネ７の働きによって、図１５、図１６に示した状態を維持する。図１５から明らかなように、このとき、ハウジング１０に設けた突起１５は、係合部材７０に設けた案内溝８４の上端側に位置する。また、図１６から明らかなように、このとき、係合部材７０の係止部８２は、ハウジング１０の所定位置に配置された端子５Ａに向かって「β１」方向に付勢され、先端に設けた当接部８３は端子５Ａに設けた穴５ａに位置付けられる。このように係止部８２が穴５ａに位置付けられていることから、端子５Ａをハウジング１０、更に詳細には、クランプ装置３０に設けた隙間３４から引き抜くことはできず、係合部材７０は、端子５と係合した状態にあるといえる。
【００４２】
図１５、図１６に示す状態において、操作部材４０をハウジング１０に対して「γ」方向に回動させると、図１７から明らかなように、係合部材７０も操作部材４０と同期して「γ」方向に回動し、この結果、係合部材７０は、ハウジング１０に設けた突起１５と係合部材７０に設けた案内溝８４との当接を通じて、操作部材４０及びハウジング１０に対して回動するとともに、案内溝８４に沿って上方へと押し上げられる。また、図１８から明らかなように、係合部材７０の係止部８２は、巻バネ７の付勢力に抗して、端子５Ａに設けた穴５ａから「β」方向に沿って引き離され、この結果、端子５Ａをハウジング１０から引き抜くことが可能となる、即ち、係合部材７０と端子５との係合は解除される。
【００４３】
このように、本構成によれば、係合部材７０を端子５と係合させるため又は係合を解除させるために操作部材４０を操作する方向「γ」と係合部材７０が端子５から移動する方向「β」とを異ならしめることができ、係合部材７０それ自体を端子５に対して移動させるのではなく、操作部材４０の回動操作等を通じて係合部材７０と端子５の係合を制御することができる。よって、端子着脱装置の操作性を向上させることができる。更に詳細には、本構成において、端子を引き抜く際にユーザが行う操作は、操作部材４０の回動操作だけであり、従って、係合部材７０それ自体を直接上方に移動させる場合に比べて、操作性が向上したものとなっている。尚、本実施形態によれば、端子をハウジング１０の所定位置に配置する際は、操作部材４０を操作する必要も、勿論、係合部材７０それ自体を操作する必要もない。ハウジング１０への挿着時に、端子は、巻バネ７の付勢力に抗して係合部材７０を上方「β２」へと押し上げて、ハウジング１０の所定位置へと配置されることになるからである。
【００４４】
尚、本発明は、上述した実施の形態に限定されるわけではなく、その他種々の変更が可能である。
例えば、本実施形態では、傾斜手段として案内溝８４を用いているが、必ずしも案内溝を用いる必要はなく、例えば、案内溝の代わりに摺動面を設けてもよい。傾斜手段と当接手段は、操作部材４０と係合部材７０を係合させることができるものであれば足りる。
また、本実施形態では、ハウジング１０に突起１５を、且つ、係合部材７０に案内溝８４を、それぞれ設けているが、これとは逆に、ハウジング１０に案内溝を、一方、係合部材７０に突起を、それぞれ設けてもよい。
更に、操作部材４０に軸６０を設け、係合部材７０に軸穴８０を設ける代わりに、操作部材４０に軸穴を設け、係合部材７０に軸を設けてもよい。
【符号の説明】
【００４５】
１  端子着脱装置
５  端子
１０  ハウジング
１５  突起
２５  カバー
３０  クランプ装置
３５  バスバー
３３  スプリング端子（被係合端子）
４０  操作部材（回動部材）
７０  係合部材
【図１】
2018195532.tif 000003
【図２】
2018195532.tif 000004
【図３】
2018195532.tif 000005
【図４】
2018195532.tif 000006
【図５】
2018195532.tif 000007
【図６】
2018195532.tif 000008
【図７】
2018195532.tif 000009
【図８】
2018195532.tif 000010
【図９】
2018195532.tif 000011
【図１０】
2018195532.tif 000012
【図１１】
2018195532.tif 000013
【図１２】
2018195532.tif 000014
【図１３】
2018195532.tif 000015
【図１４】
2018195532.tif 000016
【図１５】
2018195532.tif 000017
【図１６】
2018195532.tif 000018
【図１７】
2018195532.tif 000019
【図１８】
2018195532.tif 000020
【図１９】
2018195532.tif 000021